【手続補正書】
【提出日】平成18年1月30日(2006.1.30)
【手続補正１】
【補正対象書類名】明細書
【補正対象項目名】発明の名称
【補正方法】変更
【補正の内容】
【発明の名称】画像ファイリング機能を備えた内視鏡装置及び画像ファイリング処理を実行するためのプログラムが記録された記録媒体。
【手続補正２】
【補正対象書類名】明細書
【補正対象項目名】特許請求の範囲
【補正方法】変更
【補正の内容】
【特許請求の範囲】
【請求項１】
静止画像データを記録する手段と、
前記静止画像データに関係付けて音声データ或いは動画像データを記録する手段と
前記静止画像データの索引を示す静止画像を含む索引画面を描出する第１の映像信号を生成する手段と、
前記静止画像データに関係付けて前記音声データ或いは前記動画像データが記録されていることを示す識別表示を描出する第２の映像信号を生成する手段と、
前記第１の映像信号に前記第２の映像信号を重畳する手段と
を備えたことを特徴とする画像ファイリング機能を備えた内視鏡装置。
【請求項２】
静止画像データを記録する手段と、
前記静止画像データに関係付けて音声データ或いは動画像データを記録する手段と
前記静止画像データの索引を示す静止画像を含む索引画面を描出する第１の映像信号を生成する手段と、
前記静止画像データに関係付けて前記音声データ或いは前記動画像データが記録されていることを前記索引画面上で示す識別表示を描出する第２の映像信号を生成する手段と、
前記静止画像データに関係付けて記録された音声データ或いは動画像データを検索して再生する再生手段と、
前記索引画面上で前記再生手段を起動するための操作指示を与える位置を示す操作位置表示を描出する第３の映像信号を生成する手段と、
前記第１の映像信号に前記第２の映像信号及び前記第３の映像信号を重畳する手段と、
前記操作指示を検出し前記再生手段を起動する手段と
を備えたことを特徴とする画像ファイリング機能を備えた内視鏡装置。
【請求項３】  
前記索引画面は、
前記静止画像データを縮小して生成した静止画像を含むサムネイル画像表示画面であることを特徴とする請求項１又は２記載の画像ファイリング機能を備えた内視鏡装置。
【請求項４】
前記索引画面は、
前記静止画像データの索引を示すサムネイル画像リスト画面であることを特徴とする請求項１又は２記載の画像ファイリング機能を備えた内視鏡装置。
【請求項５】
前記識別表示は、
アイコンであることを特徴とする請求項１又は２記載の画像ファイリング機能を備えた内視鏡装置。
【請求項６】  
内視鏡装置で得た静止画像データを記録する手段と、
前記静止画像データに関係付けて音声データ或いは動画像データを記録する手段と
を備えた画像ファイリング装置に対して、
前記静止画像データの索引を示す静止画像を含む索引画面を描出する第１の映像信号の生成と、前記静止画像データに関係付けて前記音声データ或いは前記動画像データが記録されていることを示す識別表示を描出する第２の映像信号の生成と、を行う工程と、
前記第１の映像信号に前記第２の映像信号を重畳する工程と、
を有する画像ファイリング処理を実行するためのプログラムが記録された記録媒体。
【請求項７】  
内視鏡装置で得た静止画像データを記録する手段と、
前記静止画像データに関係付けて音声データ或いは動画像データを記録する手段と
を備えた画像ファイリング装置に対して、
前記静止画像データの索引を示す静止画像を含む索引画面を描出する第１の映像信号を生成する工程と、
前記静止画像データに関係付けて前記音声データ或いは前記動画像データが記録されていることを前記索引画面上で示す識別表示を描出する第２の映像信号を生成する工程と、
前記索引画面上で前記静止画像データに関係付けて記録された音声データ或いは動画像データを検索して再生するための操作指示を与える位置を示す操作位置表示を描出する第３の映像信号を生成する工程と、
前記第１の映像信号に前記第２の映像信号及び前記第３の映像信号を重畳する工程と、
前記操作位置表示に対して操作指示を与えると、前記索引画面上で前記静止画像データに関係付けて記録された音声データ或いは動画像データを検索して再生する工程と
を有する画像ファイリング処理を実行するためのプログラムが記録された記録媒体。
【請求項８】
前記識別表示は、
アイコンであることを特徴とする請求項６又は７記載の画像ファイリング処理を実行するためのプログラムが記録された記録媒体。
【手続補正３】
【補正対象書類名】明細書
【補正対象項目名】０００１
【補正方法】変更
【補正の内容】
【０００１】
【発明の属する技術分野】本発明は、静止画像データに関係付けて動画像データ及び音声データを記録し再生する画像ファイリング機能を備えた内視鏡装置及び画像ファイリング処理を実行するためのプログラムが記録された記録媒体に関する。
【手続補正４】
【補正対象書類名】明細書
【補正対象項目名】０００５
【補正方法】変更
【補正の内容】
【０００５】
【発明が解決しようとする課題】しかしながら、従来の技術で挙げた特開平９−８３９２５号を利用して画像ファイリング装置を構成すると、すべての静止画像データについて動画像データが関係付けられるので、静止画像データに必要に応じて動画像データを関係付けて記録したい場合には対応できなかった。また、特開平７−３０３６１３号及び特開平２−２００２３５号では、静止画像に関係付けられた音声データや動画像データを検索する際に、静止画像を表示するに先だって静止画像データの一覧を示す索引画面が表示される段階で、各静止画像データに関係付けて記録された音声データや動画像データの有無を操作者が即座に判別する手段について述べられておらず、動画像データや音声データを検索する際の操作性が不十分であった。また、一般に、パイプの管路内の静止画像やジェットエンジン内のタービンブレード等の静止画像を得た場合に、これらの静止画像が類似した静止画像である場合がある。例えばジェットエンジン内のタービンブレードの例を挙げると、形状の類似したタービンブレードがジェットエンジン内に何段にもわたって配置されており、これらの静止画像を見比べても、所望の静止画像を判別することが困難な場合がある。従って、従来は、静止画像の索引画面に含まれる各静止画像或いはそのサムネイル画像を見比べても、所望の静止画像を判別することが困難な場合があり、静止画像を検索する際の操作性が不十分であった。本発明は、上記事情に鑑みてなされたものであり、その目的は、静止画像データに関係付けて記録された音声データや動画像データの有無の判別を容易にすることで操作性を向上できる画像ファイリング機能を備えた内視鏡装置及び画像ファイリング処理を実行するためのプログラムが記録された記録媒体を提供することである。また、本発明の他の目的は、類似した静止画像データのうちから所望の静止画像を検索する際の操作性を向上できる画像ファイリング機能を備えた内視鏡装置及び画像ファイリング処理を実行するためのプログラムが記録された記録媒体を提供することである。
【手続補正５】
【補正対象書類名】明細書
【補正対象項目名】０００６
【補正方法】変更
【補正の内容】
【０００６】
【課題を解決するための手段】前記目的を達成するため、請求項１の画像ファイリング機能を備えた内視鏡装置は、静止画像データを記録する手段と、前記静止画像データに関係付けて音声データ或いは動画像データを記録する手段と、前記静止画像データの索引を示す静止画像を含む索引画面を描出する第１の映像信号を生成する手段と、前記静止画像データに関係付けて前記音声データ或いは前記動画像データが記録されていることを示す識別表示を描出する第２の映像信号を生成する手段と、前記第１の映像信号に前記第２の映像信号を重畳する手段とを備えたことを特徴としている。請求項１では、静止画像データに関係付けて記録された音声データや動画像データの有無の判別を容易にすることで操作性を向上することを可能とする。また、請求項２の画像ファイリング機能を備えた内視鏡装置は、静止画像データを記録する手段と、前記静止画像データに関係付けて音声データ或いは動画像データを記録する手段と、前記静止画像データの索引を示す静止画像を含む索引画面を描出する第１の映像信号を生成する手段と、前記静止画像データに関係付けて前記音声データ或いは前記動画像データが記録されていることを前記索引画面上で示す識別表示を描出する第２の映像信号を生成する手段と、前記静止画像データに関係付けて記録された音声データ或いは動画像データを検索して再生する再生手段と、前記索引画面上で前記再生手段を起動するための操作指示を与える位置を示す操作位置表示を描出する第３の映像信号を生成する手段と、前記第１の映像信号に前記第２の映像信号及び前記第３の映像信号を重畳する手段と、前記操作指示を検出し前記再生手段を起動する手段とを備えたことを特徴としている。請求項２では、類似した静止画像データのうちから所望の静止画像を検索する際の操作性を向上することを可能とする。
【手続補正６】
【補正対象書類名】明細書
【補正対象項目名】００５０
【補正方法】変更
【補正の内容】
【００５０】
【発明の効果】以上説明したように、本発明によれば、静止画像データに関係付けて記録された音声データや動画像データの有無の判別を容易にすることで操作性を向上できるという効果が得られる。また、本発明によれば、類似した静止画像データのうちから所望の静止画像を検索する際の操作性を向上できるという効果が得られる。